(57)【特許請求の範囲】
【請求項１】
円筒形状に形成され竿体の外表面に装着される基体と、リール脚の一端を受け入れ可能な固定フードと、前記基体の一部を覆うように設けられ、その前端面が前記竿体の軸方向に対して傾斜するように形成されたグリップ部とを有するリールシート本体と、
前記基体の外表面に装着され、その後端面が前記グリップ部の前端面に対応した傾斜を有するように形成された装飾キャップと、を備え、
前記装飾キャップの内周面には前記竿体の軸方向に延伸する少なくとも１つの突条が形成され、
前記基体の外表面には前記突条を受け入れる凹部が形成されている、リールシート。
【請求項２】
前記リールシート本体は、その周方向の第１の位置に前記リール脚が載置されるシート部を備えており、
前記グリップ部は、前記リールシート本体の周方向の前記第１の位置において前記竿体の軸方向前方に突出するように形成されている、請求項１に記載のリールシート。
【請求項３】
前記装飾キャップは、前記第１の位置から、当該第１の位置とは周方向に１８０度ずれた第２の位置へ向かうにつれて、前記竿体の軸方向における長さが長くなるように形成され、
前記装飾キャップの内周面には前記竿体の軸方向に延伸する２本の突条が形成され、
当該２本の突条はいずれも、前記第１の位置と前記第２の位置との周方向における中点又は当該中点よりも前記第２の位置に近い位置に形成される、請求項２に記載のリールシート。
【請求項４】
前記装飾キャップの内周面には、その径方向内方に向かって突出する凸部が形成され、前記基体の外表面には、前記装飾キャップが所定の装着位置にあるときに前記凸部を受け入れる凹部が形成されている、請求項１ないし請求項３のいずれか１項に記載のリールシート。
【請求項５】
前記リールシート本体の外表面には、その径方向外方に向かって突出する凸部が形成され、前記装飾キャップの内周面には、前記装飾キャップが所定の装着位置にあるときに前記凸部を受け入れる凹部が形成されている、請求項１ないし請求項４のいずれか１項に記載のリールシート。
【請求項６】
前記竿体の軸方向に沿ってスライド可能に構成され、前記リール脚の他端を受け入れ可能な可動フードをさらに備える請求項１ないし請求項５のいずれか１項に記載のリールシート。
【請求項７】
請求項１から請求項６のいずれか１項に記載のリールシートを備える釣竿。
【発明の詳細な説明】
【技術分野】
【０００１】
本発明は、魚釣用リールを竿体に固定するためのリールシートに関し、特に装飾用キャップを備えたリールシートに関する。
【背景技術】
【０００２】
従来から、魚釣用リールは、リールシートを介して釣竿の竿体に取り付けられている。従来のリールシートは、典型的には、竿体に外嵌されるリールシート本体と、当該リールシート本体に設けられたリール脚の一端を受け入れる固定フードと、当該竿体の軸方向に沿って当該固定フードに接近する方向及び離間する方向にスライド可能に構成された可動フードとを備える。可動フードは、前記竿体の軸周りに回動することにより当該竿体の軸方向にスライドするように構成される。
【０００３】
リールシート本体には、リール脚を受け止めるシート部が設けられる。固定フードは、シート部に載置されたリール脚の一端を受け入れ可能に構成され、可動フードは、リール脚の他端を受け入れ可能に構成される。よって、リール脚をシート部に載置し、その一端を固定フードに収容せしめた上で可動フードを固定フードに接近する方向にスライド移動させることにより、固定フードと可動フードとの間にリール脚の両端を挟み込むことができる。このようにリールシートを用いることにより、魚釣用リールを竿体に固定することができる。
【０００４】
従来のリールシートにおいては、当該リールシート本体の内周面と竿体の外表面との間に隙間が生じやすい。そこで、竿体の外表面に装飾キャップが設けられる。この装飾キャップは、リールシート本体の前端または基端に隣接する位置に配置され、リールシート本体の内周面と竿体の外表面との間の隙間を覆い隠すことができる。この装飾キャップは、装飾リングや装飾パイプと呼ばれることもあるが、本明細書では「装飾キャップ」という用語を用いることとする。
【０００５】
従来の装飾キャップは、例えば、特開２００９−２４７２７２号（特許文献１）及び特開２０１５−０１２８１６号公報（特許文献２）に開示されている。これらの公報に記載されているように、従来の装飾キャップは、その一端をリールシート本体の内周面と竿体の外表面との間に挿入することにより、竿体及び／又はリールシート本体の外表面の所定の位置に配置される。
【先行技術文献】
【特許文献】
【０００６】
【特許文献１】特開２００９−２４７２７２号公報
【特許文献２】特開２０１５−０１２８１６号公報
【発明の概要】
【発明が解決しようとする課題】
【０００７】
上述した従来のリールシートに用いられる装飾キャップは、その端部がリールシート本体の内周面と竿体の外表面との間に挿入されるので、この端部は、その外径がリールシート本体の内径とほぼ等しく且つその内径が竿体の外径とほぼ等しくなければならない。したがって、このような従来の装飾キャップ及びリールシート本体は、高い精度で加工される必要がある。
【０００８】
装飾キャップの端部をリールシート本体の内周面と竿体の外表面との間に挿入するのではなく、装飾キャップの端面をリールシート本体の端面と接合させたリールシートも知られている（特許文献２の図５参照）。
【０００９】
デザイン性向上のためにリールシート本体の端面の形状が複雑化しているが、このような複雑な形状の端面に装飾キャップの端面を接合させることは容易ではない。例えば、従来の多くのリールシートにおいては、その端面が竿体の軸方向に対して直交するように形成されていたのに対し、竿体の軸方向に対して傾斜する端面を有するリールシート本体が用いられるようになっている。
【００１０】
本発明者は、リールシート本体の端面が竿体の軸方向に対して傾斜している場合にその端面に対して装飾キャップの端面を接合させようとすると、当該装飾キャップが傾いてその端部がリールシート本体から浮き上がってしまうという問題があることを発見した。このように装飾キャップの端部が浮き上がると、本来装飾のために設けられているはずの装飾キャップ付近の見映えが悪くなってしまう。また、装飾キャップは釣り人によって握られるリールシート本体に隣接して配置されるため、装飾キャップの浮き上がった部分が釣り人の手に触れて、釣り人に不快感を与えるおそれがある。
【００１１】
本発明は、上述した従来技術の問題の一部または全部を解消または緩和することを目的とする。より具体的には、本発明の目的の一つは、竿体の軸方向に対して傾いた端面を有する装飾キャップが当該軸方向に対して傾かないようにすることである。本発明のこれ以外の目的は、本明細書全体を参照することにより明らかとなる。
【課題を解決するための手段】
【００１２】
本発明の一実施形態に係るリールシートは、円筒形状に形成され竿体の外表面に装着される基体と、リール脚の一端を受け入れ可能な固定フードと、前記基体の一部を覆うように設けられ、その前端面が前記竿体の軸方向に対して傾斜するように形成されたグリップ部とを有するリールシート本体と、前記基体の外表面に装着され、その後端面が前記グリップ部の前端面に対応した傾斜を有するように形成された装飾キャップと、を備える。本発明の一実施形態において、前記装飾キャップの内周面には前記竿体の軸方向に延伸する少なくとも１つの突条が形成され、前記基体の外表面には前記突条を受け入れる凹部が形成される。
【００１３】
当該実施形態にかかるリールシートによれば、装飾キャップの内周面において竿体の軸方向に延伸する突条とリールシート本体の外表面において軸方向に延伸する凹部とが係合するので、装飾キャップが軸方向に対して傾くことを抑制できる。また、当該突条と当該凹部とが係合することにより、装飾キャップの周方向における位置合わせが容易となる。
【００１４】
本発明の一実施形態において、前記リールシート本体は、その周方向の第１の位置に前記リール脚が載置されるシート部を備えており、前記グリップ部は、前記リールシート本体の周方向の前記第１の位置において前記竿体の軸方向前方に突出するように形成されている。
【００１５】
当該実施形態によれば、釣り人がリールシートを握ったときに、当該釣り人の指を当該グリップ部で受けやすくなる。
【００１６】
本発明の一実施形態において、前記装飾キャップは、前記第１の位置から、当該第１の位置とは周方向に１８０度ずれた第２の位置へ向かうにつれて、前記竿体の軸方向における長さが長くなるように形成され、前記装飾キャップの内周面には前記竿体の軸方向に延伸する２本の突条が形成され、当該２本の突条はいずれも、前記第１の位置と前記第２の位置との周方向における中点又は当該中点よりも前記第２の位置に近い位置に形成される。
【００１７】
装飾キャップは、第１の位置において軸方向長さが最も短くなっているので、当該第１の位置を支点として竿体の軸方向に対して傾斜しやすい。ここで、当該第１の位置から周方向に９０度以上回転した位置に突条を設けることにより、当該突条が基体に形成された凹部に受け入れられたときに当該第１の位置を支点とした傾きの発生を効果的に抑えることができる。
【００１８】
本発明の一実施形態において、前記装飾キャップの内周面には、その径方向内方に向かって突出する凸部が形成され、前記リールシート本体の外表面には、前記装飾キャップが所定の装着位置にあるときに前記凸部を受け入れる凹部が形成されている。本発明の一実施形態において、前記リールシート本体の外表面には、その径方向外方に向かって突出する凸部が形成され、前記装飾キャップの内周面には、前記装飾キャップが所定の装着位置にあるときに前記凸部を受け入れる凹部が形成されている。
【００１９】
これらの実施形態によれば、装飾キャップの内周面に形成された凸部とリールシート本体の外表面に形成された凹部とを係合させることにより、装飾キャップが所定の装着位置から軸方向にずれることを防止できる。
【発明の効果】
【００２０】
本発明の様々な実施形態により、竿体の軸方向に対して傾いた端面を有する装飾キャップが当該軸方向に対して傾かないようにすることができる。
【図面の簡単な説明】
【００２１】
【図１】本発明の一実施形態に係るリールシートが装着される釣竿の側面図
【図２】本発明の一実施形態に係るリールシートのリールシート本体の側面図
【図３】本発明の一実施形態に係るリールシートのリールシート本体の平面図
【図４】本発明の一実施形態に係るリールシートの装飾キャップの側面図
【図５】本発明の一実施形態に係るリールシートの装飾キャップの平面図
【図６】本発明の一実施形態に係るリールシートの装飾キャップの底面図
【図７】本発明の一実施形態に係るリールシートの装飾キャップの背面図
【図８】図７に示した装飾キャップをＡ−Ａ線で切断した断面図
【図９】装飾キャップをリールシート本体に取り付ける工程を説明する模式図
【図１０】装飾キャップをリールシート本体に取り付ける工程を説明する模式図
【図１１】装飾キャップをリールシート本体に取り付ける工程を説明する模式図
【図１２】本発明の一実施形態に係るリールシートが装着された釣竿を示す側面図
【発明を実施するための形態】
【００２２】
以下、本発明の様々な実施形態を添付図面を参照して説明する。なお、各図面において共通の構成要素には共通の参照符号が付されている。また、各図面は、説明の便宜上、必ずしも正確な縮尺で記載されているとは限らない点に留意されたい。
【００２３】
まず、図１を参照して本発明の一実施形態に係るリールシートを備えた釣竿について説明する。図１は、本発明の一実施形態に係るリールシートが装着された釣竿の側面図である。図示のように、釣竿１は、細長い円筒状の竿部材２と、この竿部材２の後端に設けられたパッド３と、このパッド３よりもやや前方の竿部材２の外表面に設けられたリールシート１０と、を備えている。このリールシート１０には、魚釣用のリール５が着脱可能に装着される。
【００２４】
リール５は、その脚部６を介してリールシート１０に装着される。脚部６は、スプールやハンドルを備えたリール本体から延伸する支脚７と、当該支脚７の下端から前方に延伸する前脚８と、当該支脚７の下端から後方に延伸する前脚９と、を有する。リール５は、リールシート１０に装着可能なものである限り特定の構成に限定されるものではない。本発明においては、例えば、スピニングリール、両軸受型リール、及び片軸受型リール等の様々なリールをリール５として用いることができる。
【００２５】
次に、図２及び図３を主に参照して、本発明の一実施形態に係るリールシートについて説明する。本発明の一実施形態に係るリールシート１０は、リールシート本体１１と、装飾キャップ１３と、後方フード１８と、を備える。一実施形態において、リールシート本体１１は円筒形状の基体１１ａを有する。この基体１１ａに竿体２を貫通させることにより、竿体２の外表面にリールシート本体１１を装着することができる。
【００２６】
一実施形態において、リールシート本体１１の下部には固定フード１１ｂが形成されている。固定フード１１ｂの後端には、リール５の前脚８を受け入れる受入口１１ｃが形成されている。リールシート本体１１の外表面には、左右一対の凹部１１ｄが形成されている。図示の実施形態においては、この凹部１１ｄは、基体１１ａのうち、後述するグリップ部１２よりも軸方向前方に突出した部分に形成されている。凹部１１ｄは、基体１１ａの前端からその軸方向（前後方向）に沿って延伸するように形成される。図示した実施形態において、一対の凹部１１ｄは、リールシート本体１１の下端から周方向に９０度だけ回転した位置に配置されている。図示した凹部１１ｄの位置はあくまで例示に過ぎず、凹部１１ｄの位置は適宜変更されうる。例えば、凹部１１ｄは、リールシート本体１１の下端から周方向に３０度、４５度、６０度、７５度、１０５度、１２０度、１３５度、１５０度、または１６５度だけ回転した位置に配置することができる。凹部１１ｄは、１つだけ形成されてもよく、３つ以上形成されてもよい。
【００２７】
本発明の一実施形態において、リールシート本体１１の外表面には凹部１１ｅが形成される。図示の実施形態においては、この凹部１１ｅは、基体１１ａのうち、後述するグリップ部１２よりも軸方向前方に突出した部分に形成されている。凹部１１ｅは、後述するように、装飾キャップ１３の軸方向への移動を規制するためのものである。
【００２８】
リールシート本体１１の基体１１ａの外表面には、リール５の脚部７が載置されるシート部１１ｆが形成される。シート部１１ｆは、リールシート本体１１の周方向における下端に形成される。シート部１１ｆは、リール５の脚部７を安定して支持するために平坦に形成されてもよい。
【００２９】
一実施形態において、リールシート本体１１のうち基体１１ａ及び固定フード１１ｂは、例えば、ＡＢＳ樹脂、ポリアミド、ポリスチロール、ポリプロピレン、ポリカーボネート、ポリアセタール等の様々な樹脂材料で射出成型により形成される。本発明の一実施形態においては、固定フード１１ｂは、基部１１ａと一体に形成される。本発明の他の実施形態においては、固定フード１１ｂは基部１１ａと別体に形成される。このように別体に形成された固定フード１１ｂは基部１１ａに接着等により固定される。
【００３０】
リールシート本体１１は、基体１１ａの一部を覆うように形成されたグリップ部１２を有する。図示のように、グリップ部１２は、その周方向の下端付近の位置において、基体１１ａの軸方向又は竿体２の軸方向の前方に向かって突出するように形成されている。これにより、グリップ部１２の前端面１２ａは、側面視において基体１１ａの軸方向に対して傾斜する。基体１１ａが竿体２に装着されている場合には竿体２の軸方向と一致する。
【００３１】
一実施形態において、グリップ部１２は、例えば発泡ウレタンなどの発泡樹脂、ＥＶＡ、ＦＲＴＰ、ゴム等の柔軟性のある素材から形成される。発泡樹脂は適度に柔らかいため、グリップ部１２を発泡樹脂で形成することにより、快適な握り心地を実現することができる。グリップ部１２は、リールシート本体１１と一体に成型されてもよい。グリップ部１２をリールシート本体１１の基体１１ａと異素材で形成する場合には、グリップ部１２は、例えば二重成型により基体１１ａを覆うように形成される。また、グリップ部１２は、釣り人の握り易さを考慮して、その外表面が釣竿１の穂先側から竿尻側に向かって若干拡径するように形成されてもよい。本発明の一実施形態において、グリップ部１２は、固定フード１１ｂの前方に、その前端から基体１１ａが軸方向前方へ突出するように形成される。
【００３２】
リール５としてスピニングリールを用いる場合には、図１２に示すように、釣り人は、典型的には、中指と薬指（又は薬指と小指）との間に当該リール５の支脚７を挟んだ状態で、リールシート１０を握りこむ。このようにリールシート１０が握られたときに、握りこんだ手の親指及び人差し指は、柔らかいグリップ部１２に当接する。
【００３３】
次に、図４ないし図８を参照して、本発明の一実施形態に係るリールシートに備えられる装飾キャップについて説明する。図４、図５、図６、及び図７はそれぞれ、本発明の一実施形態に係るリールシートの装飾キャップ１３の側面図、平面図、底面図、及び背面図である。また、図８は、図７に示した装飾キャップをＡ−Ａ線で切断した断面図である。
【００３４】
図示のとおり、本発明の一実施形態に係るリールシート１０の装飾キャップ１３は、基体１１ａのうちグリップ部１２から前方に突出した部分の外表面に装着されるように、中空のほぼ円筒形状に形成される。一実施形態において、装飾キャップ１３は、リールシート本体１１に装着されたときに、その外表面１３ａがグリップ部１２の外表面と面一となるように形成される。一実施形態において、装飾キャップ１３は、リールシート本体１１に装着されたときに、その後端面１３ｆがグリップ部１２の前端面１２ａと接合するように形成される。すなわち、装飾キャップ１３の後端面１３ｆは、グリップ部１２の前端面１２ａと同じ傾斜角だけ竿体２の軸方向に対して傾いている。
【００３５】
装飾キャップ１３の内周面には、左右一対の突条１３ｃ及び突条１３ｄが形成される。突条１３ｃ及び突条１３ｄはいずれも竿体２の軸方向に沿って延伸するように形成される。突条１３ｃ及び突条１３ｄはそれぞれ、装飾キャップ１３のリールシート本体１１への装着時に、リールシート本体１１の凹部１１ｄに受け入れられるように形成される。したがって、突条１３ｃ及び突条１３ｄは、装飾キャップ１３の内周面において凹部１１ｄと対応する位置に配置され、また、凹部１１ｄに受け入れられる形状に形成される。また、装飾キャップ１３の内周面に形成される突条の数は、凹部１１ｄの数に応じて変更可能である。つまり、装飾キャップ１３の内周面に形成される突条の数は、凹部１１ｄの数に応じて１つだけ設けても良く３つ以上であってもよい。
【００３６】
本発明の一実施形態において、装飾キャップ１３の内周面には突起１３ｅが形成される。この突起１３ｅは、装飾キャップ１３のリールシート本体１１への装着時に、リールシート本体１１の凹部１１ｅに受け入れられる位置に設けられる。したがって、突起１３ｅは、装飾キャップ１３の内周面において凹部１１ｅと対応する位置に配置され、また、凹部１１ｅに受け入れられる形状に形成される。
【００３７】
図８に示されているように、装飾キャップ１３は、その下端における軸方向の長さＬ１が上端における長さＬ２よりも短くなるように形成されている。したがって、装飾キャップ１３は、その下端と基体１１ａとの当接部分を支点として軸方向に傾きやすい。本発明の一実施形態にかかるリールシート１０においては、装飾キャップ１３がリールシート本体１１に装着されたときに、装飾キャップ１３の内周面に竿体２の軸方向に延伸するように形成された突条１３ｃ及び突条１３ｄがリールシート本体１１の外表面に軸方向に延伸するように形成された凹部１１ｄと係合するので、装飾キャップ１３の下端と基体１１ａとの当接部分を支点とした装飾キャップ１３の傾きを抑制することができる。
【００３８】
本発明の一実施形態において、装飾キャップ１３の突条１３ｃ及び突条１３ｄは、装飾キャップ１３の内周面において、図７に示されているように下端よりも概ねまたは丁度９０度だけ周方向に回転した位置、または、下端から９０度以上周方向に回転した位置（図７に示した突条１３ｃ及び突条１３ｄよりも上の位置）に設けられる。かかる配置により、装飾キャップ１３の下端と基体１１ａとの当接部分を支点とした装飾キャップ１３の傾きをより効果的に抑制することができる。
【００３９】
装飾キャップ１３は、典型的には、ナイロン、ポリエチレンテレフタレート、及びＡＢＳ樹脂等の硬質合成樹脂部材から射出成型により形成される。装飾キャップ１３には３価クロムメッキ等の金属光沢を付与するための表面処理を行ってもよい。
【００４０】
後方フード１８は、ほぼ円筒状の形状を有している。後方フード１８は、リールシート本体１１の基体１１ａの外表面に形成された雄ネジ（不図示）と螺合するように構成される。したがって、後方フード１８を基体１１ａの軸周りで回転させることにより、当該後方フード１８は、その回転方向に応じて、固定フード１１ｂに対して接近する方向又は離反する方向に移動する。後方フード１８は、典型的には、ナイロン、ポリエチレンテレフタレート、及びＡＢＳ樹脂等の硬質合成樹脂部材から射出成型により形成される。また、後方フード１８の前端には、リール５の後脚９を受け入れる受入口１８ａが形成されている。
【００４１】
リールシート本体１１、装飾キャップ１３、及び後方フード１８の材料、製法、及び形状は、本明細書で明示されたものに限られず、本明細書で例示された態様には様々な変更が加えられ得る。例えば、リールシート本体１１の一部、装飾キャップ１３、及び／又は後方フード１８は、アルミ、ＳＵＳ、チタン等の金属から構成されてもよい。
【００４２】
リール５をリールシート本体１１に装着する際には、後方フード１８を固定フード１１ｂから十分に離れた位置まで退避させておく。次に、固定フード１１ｂの受入口１１ｃにリール５の前脚８の先端を挿入する。続いてリール５の後脚９の先端が後方フード１８の受入口１８ａに挿入されるように、後方フード１８を回転させて固定フード１１ｂに近づく方向に移動させる。これにより、リール５の前脚８及び後脚９を固定フード１１ｂ内及び後方フード１８内にそれぞれ収容できる。このようにして、リール５をリールシート１０に装着することができる。
【００４３】
次に、図９ないし図１１を参照して、本発明の一実施形態にかかるリールシート１０において、装飾キャップ１３をリールシート本体１１に取り付ける工程を説明する。まず、図９に示すように、装飾キャップ１３の後端面１３ｆがリールシート本体１１の方を向くように装飾キャップ１３を配置する。このとき、装飾キャップ１３の突条１３ｃ及び突条１３ｄが周方向においてリールシート本体１１の一組の凹部１１ｄの位置と対応する位置にあるように装飾キャップ１３の姿勢を調整する。
【００４４】
次に、その姿勢を保ったまま、図１０に示すように、装飾キャップ１３をリールシート本体１１の前端から後方に向けてスライドさせる。装飾キャップ１３は、その後端面１３ｆがグリップ部１２の前端面１２ａと接合される装着位置（図１１に示されている位置）まで後方にスライドする。装飾キャップ１３が図１１に示す装着位置まで移動すると、装飾キャップ１３の内周面に形成された突起１３ｅがリールシート本体１１の凹部１１ｅに係合するので、装飾キャップ１３の軸方向への移動を規制することができる。これにより、装飾キャップ１３を抜け止めすることができる。このようにして、装飾キャップ１３をリールシート本体１１の外表面に装着することができる。上記の工程において、装飾キャップ１３の内周面及びリールシート１１の外表面のいずれか一方又は両方に接着材を塗布してもよい。
【００４５】
上述した装飾キャップ１３の装着工程においては、装飾キャップ１３の内周面に形成された突条１３ｃ及び突条１３ｄがリールシート本体１１の外表面に形成された凹部１１ｄと係合したまま、装飾キャップ１３を装着位置までスライドさせることができる。突条１３ｃ及び突条１３ｄが凹部１１ｄと係合している間は、装飾キャップ１３の周方向における回動が規制される。よって、装飾キャップ１３の装着時における装飾キャップ１３とグリップ部１２との周方向における位置合わせが容易となる。また、装飾キャップ１３が装着位置にあるときには、上述したように、装飾キャップ１３が基体１１ａの軸方向に対して傾くことを抑制できる。
【００４６】
本明細書で説明された各構成要素の寸法、材料、形状、及び配置は、実施形態中で明示的に説明されたものに限定されず、むしろ本発明の範囲に含まれうる任意の寸法、材料、形状、及び配置を有するように各構成要素を変形することができる。また、本明細書において明示的に説明した以外の構成要素を、説明した実施形態に付加することもできるし、各実施形態において説明した構成要素の一部を省略することもできる。
【００４７】
例えば、装飾キャップ１３を抜け止めするために、装飾キャップ１３の内周面に突起１３ｅを設け、リールシート本体１１の外表面に当該突起１３ｅを受け入れる凹部１１ｅを設けているが、これとは逆に、リールシート本体１１の外表面の前端付近に突起を設け、装飾キャップ１３の内周面に当該突起を受け入れる凹部を形成してもよい。
【符号の説明】
【００４８】
１  釣竿
２  竿体
５  リール
１０  リールシート
１１  リールシート本体
１１ｄ、１１ｅ  凹部
１２  グリップ部
１３  装飾キャップ
１３ｃ、１３ｄ  突条
１３ｅ  突起
【図１】
0006499119.tif 000002
【図２】
0006499119.tif 000003
【図３】
0006499119.tif 000004
【図４】
0006499119.tif 000005
【図５】
0006499119.tif 000006
【図６】
0006499119.tif 000007
【図７】
0006499119.tif 000008
【図８】
0006499119.tif 000009
【図９】
0006499119.tif 000010
【図１０】
0006499119.tif 000011
【図１１】
0006499119.tif 000012
【図１２】
0006499119.tif 000013